【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
マルチユーザ（ＭＵ）伝送を有する複数アンテナシステム（ＭＡＳ）（「ＭＵ−ＭＡＳ」）であって、
セル又はカバレッジ領域の全体にわたって配置され、かつ有線又は無線ネットワークを介して１又は複数の空間処理ユニットに通信的に連結された、複数の分散アンテナ又は無線送受信機と、
複数の無線リンクを介して前記分散アンテナに通信的に連結された複数のユーザ機器デバイス（ＵＥ）とを備え、
前記複数のＵＥの各々は同一のセルＩＤを受信し、
前記分散アンテナは協調して、同時に同じ周波数帯内で前記ＵＥへの複数の非干渉データリンクを生成するために意図的に干渉する複数の信号を送信又は受信する、複数アンテナシステム。
【請求項２】
前記複数の分散アンテナは、基地局ネットワーク（ＢＳＮ）を介して集中型プロセッサ（ＣＰ）に相互連結され、前記複数のＵＥと通信するためにプリコーディングを使用することを特徴とする、請求項１に記載のシステム。
【請求項３】
前記無線通信ネットワークは、ロングタームエボリューション（ＬＴＥ）、グローバルシステムフォーモバイルコミュニケーション（ＧＳＭ（登録商標））、ユニバーサルモバイル通信システム（ＵＭＴＳ）、高速パケットアクセス（ＨＳＰＡ）、発展型高速パケットアクセス（ＨＳＰＡ＋）、及び符号分割多元接続（ＣＤＭＡ）などの標準プロトコルをサポートするＵＥと互換性を有することを特徴とする、請求項１に記載のシステム。
【請求項４】
ダウンリンクリソースブロック（ＲＢ）の全て又はサブセットはあらゆるＵＥに割り当てられ、同時の非干渉データストリームは前記ＢＴＳから前記ＵＥへプリコーディングを介して送信されることを特徴とする、請求項３に記載のシステム。
【請求項５】
前記ＭＵ−ＭＡＳは、前記ダウンリンク（ＤＬ）又はアップリンク（ＵＬ）チャネル上の伝送について前記ＵＥをスケジューリングするために、ラウンドロビン、プロポーショナル・フェアスケジューラ又は貪欲法を使用することを特徴とする、請求項１に記載のシステム。
【請求項６】
前記スケジューラは、チャネル品質指標（ＣＱＩ）、サウンディング参照信号（ＳＲＳ）、空間選択性指標（ＳＳＩ）、又はそれらの組み合わせを、前記スケジューリング方法の性能測定基準として使用することを特徴とする、請求項５に記載のシステム。
【請求項７】
前記スケジューラは、前記無線リンク上で伝送するためにスケジューリングされる分散アンテナ及びＵＥの最適なサブセットを、リンク性能測定基準に基づいて選択することを特徴とする、請求項５に記載のシステム。
【請求項８】
全ての分散アンテナにわたって送信アンテナ選択方法を適用して、前記ＤＬチャネル上の同時の伝送のための最適な分散アンテナを選択することを特徴とする、請求項１に記載のシステム。
【請求項９】
前記ＭＵ−ＭＡＳは、線形プリコーディング方法（例えば、ゼロフォーシング、ブロック対角化、行列反転等）を使用することを特徴とする、請求項１に記載のシステム。
【請求項１０】
前記ＭＵ−ＭＡＳは、非線形プリコーディング方法（例えば、ダーティペーパコーディング又はトムリソン−原島プリコーディング、格子技術又はトレリスプリコーディング、ベクトル摂動技法）を使用することを特徴とする、請求項１に記載のシステム。
【請求項１１】
前記ＭＵ−ＭＡＳは、良好なチャネル品質を経験するＵＥのためのプリコーディング多重化方法と、リンク品質の悪いＵＥのためのビームフォーミング又はダイバーシティ方法との間で切り替わることを特徴とする、請求項１に記載のシステム。
【請求項１２】
マルチユーザ（ＭＵ）伝送を有する複数アンテナシステム（ＭＡＳ）（「ＭＵ−ＭＡＳ」）内にて実装される方法であって、前記複数アンテナシステムは、
セル又はカバレッジ領域の全体にわたって配置され、かつ有線又は無線ネットワークを介して１又は複数の空間処理ユニットに通信的に連結された、複数の分散アンテナ又は無線送受信機と、
複数の無線リンクを介して前記分散アンテナに通信的に連結された複数のＵＥとを備え、
前記複数のＵＥの各々は同一のセルＩＤを受信し、
前記分散アンテナは協調して、同時に同じ周波数帯内で前記ＵＥへの複数の非干渉データリンクを生成するために意図的に干渉する複数の信号を送信又は受信する、方法。
【請求項１３】
前記複数の分散アンテナは、ＢＳＮを介してＣＰに相互連結され、前記複数のＵＥと通信するためにプリコーディングを使用することを特徴とする、請求項１２に記載の方法。
【請求項１４】
前記無線通信ネットワークは、ＬＴＥ、ＧＳＭ（登録商標）、ＵＭＴＳ、ＨＳＰＡ、ＨＳＰＡ＋、及びＣＤＭＡなどの標準プロトコルをサポートするＵＥと互換性を有することを特徴とする、請求項１２に記載の方法。
【請求項１５】
前記分散アンテナは、同一のセルＩＤをＰ−ＳＳ及び／又はＳ−ＳＳを介して伝送することを特徴とする、請求項１４に記載の方法。
【請求項１６】
ダウンリンクＲＢの全て又はサブセットはあらゆるＵＥに割り当てられ、同時の非干渉データストリームは前記ＢＴＳから前記ＵＥへプリコーディングを介して送信されることを特徴とする、請求項１４に記載の方法。
【請求項１７】
ユーザ毎のデータレートを増大させるために、プリコーディングをキャリアアグリゲーション（ＣＡ）と組み合わせて用いて、前記無線周波数（ＲＦ）スペクトルの異なる部分（帯域間ＣＡ）又は同一スペクトル内の異なる帯域（イントラバンドＣＡ）に適用することを特徴とする、請求項１２に記載の方法。
【請求項１８】
マルチユーザ（ＭＵ）伝送を有する複数アンテナシステム（ＭＡＳ）（「ＭＵ−ＭＡＳ」）であって、
セル又はカバレッジ領域の全体にわたって配置され、かつ有線又は無線ネットワークを介して１又は複数の空間処理ユニットに通信的に連結された、複数の協調型分散アンテナ又は無線送受信機と、
複数の無線リンクを介して前記分散アンテナに通信的に連結された複数のユーザ機器デバイス（ＵＥ）とを備え、
特定の時間及び時間間隔で、異なるデータストリームが前記分散アンテナと複数のＵＥの各々との間の前記無線リンク上で伝送され、
特定の他の時間及び時間間隔で、同じデータストリームが前記分散アンテナと複数のＵＥの各々との間の前記無線リンク上で伝送される、複数アンテナシステム。
【請求項１９】
前記ＭＵ−ＭＡＳは、複数のＵＥの各々に又は複数のＵＥの各々から、同時に同じ周波数間隔で異なるデータストリームを送信又は受信するためにプリコーディングを使用する、請求項１８に記載のシステム。
【請求項２０】
マルチユーザ（ＭＵ）伝送を有する複数アンテナシステム（ＭＡＳ）（「ＭＵ−ＭＡＳ」）内にて実装される方法であって、前記複数アンテナシステムは、
セル又はカバレッジ領域の全体にわたって配置され、かつ有線又は無線ネットワークを介して１又は複数の空間処理ユニットに通信的に連結された、複数の協調型分散アンテナ又は無線送受信機と、
複数の無線リンクを介して前記分散アンテナに通信的に連結された複数のユーザ機器デバイス（ＵＥ）とを備え、
特定の時間及び時間間隔で、異なるデータストリームが前記分散アンテナと複数のＵＥの各々との間の前記無線リンク上で伝送され、
特定の他の時間及び時間間隔で、同じデータストリームが前記分散アンテナと複数のＵＥの各々との間の前記無線リンク上で伝送される、方法。